(57)【要約】【課題】枠部材と平板とを構造上から強固に連設することでシックハウス症候群の対策も達成できる非常に高強度且つ住居環境対策に秀れたパネル体や家屋を提供するものである。【解決手段】左右の端部材１ａ・１ｂと該左右の端部材１ａ・１ｂ間に設けられた平板２とから成り、左右の端部材１ａ・１ｂの内面には凹溝１１ａ・１１ｂが夫々設けられ、この夫々の凹溝１１ａ・１１ｂに前記平板２の左右端部が夫々嵌入された構造のパネル体であって、前記凹溝１１ａ・１１ｂは、前記端部材１ａ・１ｂの延設方向に延設され、更に、凹溝１１ａ・１１ｂは、巾狭部１２の奥側に巾広部１３を有する蟻溝構造が採用され、前記平板２の左右端部には、該蟻溝構造の凹溝１１ａ・１１ｂに係止する形状の嵌入部３ａ・３ｂが夫々設けられているものである。【選択図】        図１
2004211391.tif 000002
【特許請求の範囲】
【請求項１】
左右の端部材と該左右の端部材間に設けられた平板とから成り、左右の端部材の内面には凹溝が夫々設けられ、この夫々の凹溝に前記平板の左右端部が夫々嵌入された構造のパネル体であって、前記凹溝は、前記端部材の延設方向に延設され、更に、凹溝は、巾狭部の奥側に巾広部を有する蟻溝構造が採用され、前記平板の左右端部には、該蟻溝構造の凹溝に係止する形状の嵌入部が夫々設けられていることを特徴とするパネル体。
【請求項２】
請求項１記載のパネル体において、嵌入部は、蟻溝構造の凹溝に略合致して嵌合係止する形状のものが採用されていることを特徴とするパネル体。
【請求項３】
請求項１，２いずれか１項に記載のパネル体において、凹溝は、端部材の延設方向端面に該凹溝の開口部が露出する構成であることを特徴とするパネル体。
【請求項４】
請求項１〜３いずれか１項に記載のパネル体において、平板として、左右端部が凹溝に係止する形状の複数の小平板が端部材の延設方向に連設された構成の連設平板が採用されていることを特徴とするパネル体。
【請求項５】
請求項１〜４いずれか１項に記載のパネル体において、凹溝は、端部材の正面及び裏面から夫々所定の距離だけ奥まった位置に刻設されていることを特徴とするパネル体。
【請求項６】
請求項１〜５いずれか１項に記載のパネル体が複数連設されて家屋の壁部が形成されていることを特徴とする家屋。
【発明の詳細な説明】
【０００１】
【発明の属する技術分野】
本発明は、パネル体及び家屋に関するものである。
【０００２】
【従来の技術及び発明が解決しようとする課題】
家屋の構築の際、工程の簡素化や高強度化等を目的として本願発明者の先願に係る特開平１１−１９００９９号公報等のパネル体が用いられている。このパネル体や該パネル体を用いた家屋は、市場において大変好評である。
【０００３】
ところで、これらパネル体は、左右の枠部材と、該左右の枠部材間に張設される平板とから成り、該平板の左右端部が枠部材の内面に刻設された断面視四角形状の凹溝に夫々嵌合された構成である。そして、強度上の観点から、枠部材と平板とは接着剤によって連設されている。
【０００４】
しかし、最近のシックハウス症候群の問題から、接着剤に含まれる有機溶剤が規制されつつある。そして、この有機溶剤の規制により、接着剤の強度不足、即ち、平板と枠部材との連設強度の不足が懸念されている。
【０００５】
本発明は、上記問題点を解決するもので、枠部材と平板とを構造上から強固に連設した非常に強度の高いパネル体及び該パネル体で構築された家屋を提供するものである。
【０００６】
【課題を解決するための手段】
添付図面を参照して本発明の要旨を説明する。
【０００７】
左右の端部材１ａ・１ｂと該左右の端部材１ａ・１ｂ間に設けられた平板２とから成り、左右の端部材１ａ・１ｂの内面には凹溝１１ａ・１１ｂが夫々設けられ、この夫々の凹溝１１ａ・１１ｂに前記平板２の左右端部が夫々嵌入された構造のパネル体であって、前記凹溝１１ａ・１１ｂは、前記端部材１ａ・１ｂの延設方向に延設され、更に、凹溝１１ａ・１１ｂは、巾狭部１２の奥側に巾広部１３を有する蟻溝構造が採用され、前記平板２の左右端部には、該蟻溝構造の凹溝１１ａ・１１ｂに係止する形状の嵌入部３ａ・３ｂが夫々設けられていることを特徴とするパネル体に係るものである。
【０００８】
また、請求項１記載のパネル体において、嵌入部３ａ・３ｂは、蟻溝構造の凹溝１１ａ・１１ｂに略合致して嵌合係止する形状のものが採用されていることを特徴とするパネル体に係るものである。
【０００９】
また、請求項１，２いずれか１項に記載のパネル体において、凹溝１１ａ・１１ｂは、端部材１ａ・１ｂの延設方向端面４に該凹溝１１ａ・１１ｂの開口部１４が露出する構成であることを特徴とするパネル体に係るものである。
【００１０】
また、請求項１〜３いずれか１項に記載のパネル体において、平板２として、左右端部が凹溝１１ａ・１１ｂに係止する形状の複数の小平板５が端部材１ａ・１ｂの延設方向に連設された構成の連設平板が採用されていることを特徴とするパネル体に係るものである。
【００１１】
また、請求項１〜４いずれか１項に記載のパネル体において、凹溝１１ａ・１１ｂは、端部材１ａ・１ｂの正面及び裏面から夫々所定の距離だけ奥まった位置に刻設されていることを特徴とするパネル体に係るものである。
【００１２】
また、請求項１〜５いずれか１項に記載のパネル体２０が複数連設されて家屋の壁部２１が形成されていることを特徴とする家屋に係るものである。
【００１３】
【発明の作用及び効果】
左右の端部材１ａ・１ｂと平板２とは、平板２の嵌入部３ａ・３ｂが左右の端部材１ａ・１ｂの蟻溝構造の凹溝１１ａ・１１ｂに係止する嵌合構造で連設されている為、特に凹溝１１ａ・１１ｂの巾狭部１２が強力な抜け止め作用を発揮し、該左右の端部材１ａ・１ｂと平板２とが分離してしまうことは防止される。
【００１４】
このように、左右の端部材１ａ・１ｂと平板２とが分離しない構成であるから、例えば、該左右の端部材１ａ・１ｂと該平板２とをシックハウス症候群対策の有機溶剤が規制された接着剤で連設しても、強度上の問題は全く発生しない。
【００１５】
本発明は上述のように構成したから、高い強度のパネル体となり、必然的に該パネル体により構築された家屋は強度の高いものとなる。
【００１６】
【発明の実施の形態】
図面は本発明の一実施例を図示したものであり、以下に説明する。
【００１７】
パネル体２０は、左右の端部材１ａ・１ｂ（枠部材）と該左右の端部材１ａ・１ｂ間に張設される平板２とから成り、左右の端部材１ａ・１ｂの内面にして正面及び裏面から所定の距離だけ奥まった位置には凹溝１１ａ・１１ｂが夫々設けられ、この夫々の凹溝１１ａ・１１ｂに前記平板２の左右端部が夫々嵌入された断面視Ｈ型の構造である。
【００１８】
端部材１ａ・１ｂは木製角材が採用されている。
【００１９】
凹溝１１ａ・１１ｂは、端部材１ａ・１ｂの延設方向（長さ方向）に直線状に延設されている。
【００２０】
また、凹溝１１ａ・１１ｂは、端部材１ａ・１ｂの延設方向端面４に該凹溝１１ａ・１１ｂの開口部１４が露出する構成である。
【００２１】
この凹溝１１ａ・１１ｂの開口部１４の露出は、端部材１ａ・１ｂに二箇所有る延設方向端面４の内、いずれか一方だけでも良いが、両方に露出している方が後記平板２の嵌入作業を良好に行え、好適となる。
【００２２】
凹溝１１ａ・１１ｂは、巾狭部１２の奥側に巾広部１３を有する蟻溝構造が採用されている。具体的には、凹溝１１ａ・１１ｂにして端部材１ａ・１ｂの内面に露出する溝状開口部１５の近傍は最も巾狭な巾狭部１２に設定され、凹溝１１ａ・１１ｂの最深部は最も巾広な巾広部１３に設定され、該巾狭部１２と該巾広部１３とが直線状傾斜縁部１６によって連設された末広形状の凹溝１１ａ・１１ｂが採用されている。
【００２３】
端部材１ａ・１ｂは、この凹溝１１ａ・１１ｂの存在故に、従来の断面視四角形状の凹溝が設けられた端部材に比し、構造上、強度が若干低下する。従って、この端部材１ａ・１ｂは、強度の高い木材を採用すると良い。
【００２４】
平板２の左右端部には、蟻溝構造の凹溝１１ａ・１１ｂに係止する形状、特に巾狭部１２に引っ掛かり係止する形状の嵌入部３ａ・３ｂが夫々設けられている。
【００２５】
また、この嵌入部３ａ・３ｂは、蟻溝構造の凹溝１１ａ・１１ｂに略合致して嵌合係止する末広形状のものが最も連設強度が高くなり、好適である（図面は、この最適な場合を図示している。）。
【００２６】
尚、平板２が木製平板で、接着剤を用いて端部材１ａ・１ｂと平板２とを連設する場合、該接着剤を吸収することによる膨張分を考慮して適宜凹溝１１ａ・１１ｂと嵌入部３ａ・３ｂとの寸法を設定すると良い。
【００２７】
平板２は、一枚ものの平板を採用しても良いが、左右端部が前記凹溝１１ａ・１１ｂに係止する形状の複数の小平板５が端部材１ａ・１ｂの延設方向に連設された構成の連設平板を採用した方が良い。これは、平板２の嵌入部３ａ・３ｂを凹溝１１ａ・１１ｂに嵌合する際、前記巾狭部１２の存在故に、該嵌入部３ａ・３ｂを前記溝状開口部１５から凹溝１１ａ・１１ｂに嵌入することができず、必然的に該嵌入部３ａ・３ｂを前記端部材１ａ・１ｂの延設方向端面４に露出する開口部１４から嵌入しなければならない。その際、平板２が一枚ものであると、嵌入部３ａ・３ｂと凹溝１１ａ・１１ｂとの当接面積が大きいから、それだけ摺動抵抗が大きく、該嵌入作業が厄介となる。この点、小平板５を一枚ずつ摺動して嵌入部３ａ・３ｂを凹溝１１ａ・１１ｂに嵌入する作業であれば、嵌入部３ａ・３ｂと凹溝１１ａ・１１ｂとの当接面積が小さいから、それだけ摺動抵抗が小さく、該嵌入作業を極めて良好に行えることが理由である。
【００２８】
小平板５の上下には、上下に夫々隣接する小平板５と係止する係止部６ａ・６ｂが設けられている。この係止部６ａ・６ｂは、特にパネル体２０の正裏方向からの応力に対抗する為、一方の係止部６ａとして、小平板５の巾方向に延設された凸条を採用し、他方の係止部６ａとして前記凸条に凹凸嵌合する凹条を採用する。
【００２９】
このパネル体２０は、複数枚を並設状態で連設し、特に家屋の壁部２１として用いる。尚、家屋の屋根や床等を形成する際に使用しても良い。
【００３０】
図中、符号２２は柱、２３は土台である。
【００３１】
本実施例は上述のように構成したから、端部材１ａ・１ｂと平板２との連設強度が高く、よって、高強度の家屋を構築することができる。
【００３２】
特に、シックハウス症候群の対策として提案された接着強度に懸念のある接着剤を用いても、端部材１ａ・１ｂと平板２とは構造上で強固に連設されているから、該端部材１ａ・１ｂと該平板２との分離が発生したりせず、それだけ高強度の家屋を構築することができる。
【００３３】
また、接着剤を使用せず、例えば、従来は応力集中等の問題を抱えていたクギやボルトナットによる端部材１ａ・１ｂと平板２との連設手段を採用することも可能で、それだけ構築のバリエーションが豊かであり、シックハウス症候群への完全対策も達成することができる。
【００３４】
また、端部材１ａ・１ｂの延設方向端面４から露出する凹溝１１ａ・１１ｂの開口部１４を利用して該凹溝１１ａ・１１ｂに平板２の嵌入部３ａ・３ｂを嵌入することができ、端部材１ａ・１ｂと平板２との連設作業は確実に行うことができる。
【００３５】
また、平板２として複数枚の小平板５が連設されたものを採用し、この小平板５を一枚ずつ端部材１ａ・１ｂ間に配設することで、前記端部材１ａ・１ｂと平板２との連設作業を該平板２の摺動抵抗が小さい状態でスムーズ且つ確実に行うことができる。
【００３６】
また、小平板５は一枚ものの平板と異なり、形成する際に必要な木材が大きくないから、非常にコスト安で且つ生産性も良く、この点において非常に安価なパネル体２０や家屋の提供も達成することができる。
【図面の簡単な説明】
【図１】本実施例のパネル体２０の説明斜視図である。
【図２】本実施例のパネル体２０の説明平面図である。
【図３】本実施例の平板２の構成を示す説明側断面図である。
【図４】本実施例の家屋の壁部２１の説明斜視図である。
【符号の説明】
１ａ・１ｂ  端部材
２  平板
３ａ・３ｂ  嵌入部
４  延設方向端面
５  小平板
１１ａ・１１ｂ  凹溝
１２  巾狭部
１３  巾狭部
１４  開口部
２０  パネル体
２１  壁部
【図１】
2004211391.tif 000003
【図２】
2004211391.tif 000004
【図３】
2004211391.tif 000005
【図４】
2004211391.tif 000006